(57)【要約】      （修正有）【課題】収納したコップの破損を防止し、且つコップの収納作業が容易なコップ収納ケースを提供する。【解決手段】シート材を組み立て形成し、コップＡを収納する上面開口型のケース本体２と、ケース本体上面開口部の一縁に連設された第１保持面部３１を前記一縁で折り曲げ収納されるコップ開口端部Ａ１に対面する第１保持面部３１と、ケース本体上面開口部一縁に対向する他縁に連設された第２保持面部３２を前記他縁で折り曲げコップ開口端部に対面する第２保持面部３２と、第１及び第２保持面部を折り曲げた状態で、第１保持面部と第２保持面部の対向する端縁に連設された緩衝片部５をケース本体内部に突出する山形状に折り曲げた緩衝片部と、を備え、緩衝片部の両側縁の少なくとも一部分が、収納されるコップの内周面Ａ２に接し、緩衝片部の面内に、物品Ｂの一部分を挿入脱可能な挿入口７が形成されているコップ収納ケース１。【選択図】図９
2008273612.tif 000002
【特許請求の範囲】
【請求項１】
シート材を組み立てて形成されており、
コップを収納可能な上面開口型のケース本体と、
ケース本体の上面開口部の一縁に連設された第１保持面部であって、前記一縁において折り曲げることにより、収納されるコップの開口端部に対面する第１保持面部と、
ケース本体の上面開口部の一縁に対向する他縁に連設された第２保持面部であって、前記他縁において折り曲げることにより、収納されるコップの開口端部に対面する第２保持面部と、
前記第１及び第２保持面部が折り曲げられた状態において、第１保持面部と第２保持面部の対向する端縁に連設された緩衝片部であって、ケース本体の内部に突出するように山形状に折り曲げられた緩衝片部と、を備え、
前記緩衝片部の両側縁の少なくとも一部分が、収納されるコップの内周面に接し、
前記緩衝片部の面内には、物品の一部分に挿入脱可能な挿入口が形成されていることを特徴とするコップ収納ケース。
【請求項２】
前記ケース本体には、前記第１保持面部の外面及び第２保持面部の外面に重ね合わされる押さえ面部が設けられ、前記押さえ面部の面内には、前記物品の一部分に挿入脱可能で且つ該物品の一部分に接する挿入孔が形成されている請求項１に記載のコップ収納ケース。
【請求項３】
前記緩衝片部の挿入口の縁の一部分に、収納されるコップの底面部に接する延出片部が連設されている請求項１または２に記載のコップ収納ケース。
【発明の詳細な説明】
【技術分野】
【０００１】
本発明は、コップを収納した状態で、ボトル型容器などの物品に取り付けることができるコップ収納ケースに関する。
【背景技術】
【０００２】
従来、コップを包装するケースとして、様々な包装材が用いられている。このうち、比較的安価に製造でき、更に、不使用時には折り畳んで扁平状にして保管できるなどの理由から、合成樹脂製シート、厚紙などのシート材を組み立てたコップ収納ケースが多用されている。
【０００３】
ところで、コップは、それ自体単独で販売する他、他の物品に付属させて販売する場合もある。例えば、飲料を入れたボトル型容器に、コップを付属させて販売する方式などである。かかる販売方式は、コップ自体が譲渡の対象でなく、コップを物品の販促用景品として付属させることもある。
このような販売方式に於いて、従来、図１７及び図１８に示すようなコップ収納ケース１００が用いられている。
このコップ収納ケース１００は、シート材を組み立てて形成されており、内部にコップＡを収納可能な上面開口型の直方体状のケース本体１２０と、ケース本体１２０の上面開口部１２３の３方の縁からそれぞれ連設され、且つ内側へ折り曲げることによって、収納されたコップＡの開口端部に接してコップＡを抜脱不能に保持する保持片１３０と、を有している。
この３つの保持片１３０は、平板状であり、その面内には、コップＡの開口部よりも小径の挿入口１４０が形成されいる。かかるコップ収納ケース１００は、ケース本体１２０内にコップＡを入れた後、各保持片１３０を順次折り曲げて重ね、最後に折り曲げる保持片１３０をケース本体１２０に固定することにより、コップＡの開口上端部を保持片１３０にて収納保持できると共に、コップＡの開口部に保持片１３０の挿入口１４０が連通する。
このコップ収納済みの収納ケース１００の挿入口１４０を、図１９及び図２０に示すように、ボトル型容器Ｂの首部に挿入することにより、コップ収納ケース１００を容器Ｂに付属させることができる。
【０００４】
さらに、上記従来のコップ収納ケース１００は、搬送等の際、挿入したボトル型容器Ｂの首部が、コップＡの内周面に当たり、コップＡが破損する虞がある。このため、該容器Ｂの首部とコップＡの内周面の間に、別途、緩衝部材１５０が介装される。緩衝部材１５０としては、ボトル型容器の首部を包むように、段ボールを折り曲げて形成されたものが用いられる。
【０００５】
しかしながら、コップ収納ケース１００と緩衝部材１５０は、別体であるため、コップＡを収納する際、両者を組み合わせつつ組み立てなければならない。従って、コップの収納作業が煩雑となる。また、両者は別体であるため、異なる２点の部材をそれぞれ作製しなければならず、それに応じて製品コストも上昇する。
【０００６】
さらに、上記従来のコップ収納ケース１００は、平板状の保持片１３０に挿入口１４０が形成されている。このため、挿入口１４０の縁は、ボトル型容器Ｂの首部の周方向且つ水平に接する。このように挿入口１４０の縁が、容器Ｂの首部の周方向に水平に接するので、容器Ｂに対してコップ収納ケース１００が揺動し易い。従って、搬送時などにおいて、コップ収納ケース１００が揺れ動き、取り付けたコップ収納ケース１００が容器Ｂに対して歪むことがある。
【発明の開示】
【発明が解決しようとする課題】
【０００７】
そこで、本発明は、収納したコップの破損を防止でき、且つコップの収納作業を比較的簡易に行うことができ、更に、挿入する物品に対して揺動し難いコップ収納ケースを提供することを課題とする。
【課題を解決するための手段】
【０００８】
本発明のコップ収納ケースは、シート材を組み立てて形成されており、コップを収納可能な上面開口型のケース本体と、ケース本体の上面開口部の一縁に連設された第１保持面部であって、前記一縁において折り曲げることにより、収納されるコップの開口端部に対面する第１保持面部と、ケース本体の上面開口部の一縁に対向する他縁に連設された第２保持面部であって、前記他縁において折り曲げることにより、収納されるコップの開口端部に対面する第２保持面部と、第１及び第２保持面部が折り曲げられた状態において、第１保持面部と第２保持面部の対向する端縁に連設された緩衝片部であって、ケース本体の内部に突出するように山形状に折り曲げられた緩衝片部と、を備え、緩衝片部の両側縁の少なくとも一部分が、収納されるコップの内周面に接し、緩衝片部の面内には、物品の一部分を挿入脱可能な挿入口が形成されていることを特徴とする。
【０００９】
上記コップ収納ケースは、ケース本体内にコップを入れた後、第１及び第２保持面部を折り曲げることによって、第１及び第２保持面部が収納されたコップの開口端部に対面する。従って、コップは、第１及び第２保持面部によって保持され、ケース本体内から抜け出ずに収納される。
この折り曲げられた第１及び第２保持面部の間には、ケース本体の内部に突出するように山形状に折り曲げられ且つ挿入口を有する緩衝片部が設けられている。この緩衝片部の挿入口を、物品の一部分（例えば、ボトル型容器の首部等）に挿入することにより、コップ収納済みの収納ケースを物品に取り付けることができる。
該物品とコップの内周面の間には、両側縁の少なくとも一部がコップの内周面に接する緩衝片部が介在しているので、物品とコップの内周面の隙間を確実に維持することができる。従って、上記コップ収納ケースは、搬送等の際、コップが物品に当たる虞がなく、コップが破損することを防止できる。
また、挿入口は、折り曲げられた緩衝片部の面内に形成されているので、緩衝片部の挿入口の縁が、物品の一部分（挿入部分）の上下方向に弧を描くように接するので、コップ収納ケースは、物品に対して揺動し難くなる。
なお、上記コップ収納ケースは、シート材を組み立てて形成されているので、従来のように、別途の緩衝部材を組み合わせる必要がなく、コップの収納作業を比較的簡易に行える。
【００１０】
上記コップ収納ケースは、上記物品の一部分がボトル型容器の首部であり、上記緩衝片部の挿入口の縁部が、このボトル型容器の首部に接するように形成されていることが好ましい。
かかるコップ収納ケースは、挿入口の縁部がボトル型容器の首部に接するように形成されているので、緩衝片部の挿入口が容器の首部に密着する。このため、コップ収納ケースは、物品に対して、より揺動し難くなるので好ましい。
【００１１】
本発明の好ましいコップ収納ケースは、上記ケース本体に、第１保持面部の外面及び第２保持面部の外面に重ね合わされる押さえ面部が設けられ、押さえ面部の面内には、前記物品の一部分を挿入脱可能で且つ該物品の一部分に接する挿入孔が形成されている。
かかるコップ収納ケースは、押さえ面部が設けられているので、第１及び第２保持面部が、コップの重みなどによって押圧されても、該第１及び第２保持面部の浮き上がりを防止できる。
さらに、該押さえ面部には、物品の一部分の周囲に接する挿入孔が形成されているので、押さえ面部の挿入孔が物品の一部分（挿入部分）の下方部において接し、且つ緩衝片部の挿入口が物品の一部分の上方部において接する。このため、上記コップ収納ケースは、物品の一部分の上下に離れた位置において接するので、コップ収納ケースが揺動することをより確実に防止できる。
【００１２】
本発明の好ましいコップ収納ケースは、上記緩衝片部の挿入口の縁の一部分に、収納されるコップの底面部に接する延出片部が連設されている。
かかるコップ収納ケースは、コップの底面部に接する延出片部が設けられているので、物品に対して、より揺動し難くなるので好ましい。
【発明の効果】
【００１３】
本発明に係るコップ収納ケースは、コップの破損を防止しつつ、容器などの物品に取り付けることができる。また、本発明のコップ収納ケースは、コップの収納作業を比較的簡易に行うことができ、又、製品単価も比較的安価に抑えることができる。さらに、本発明のコップ収納ケースは、挿入する物品に対して揺動し難く、従って、搬送時などに、コップ収納ケースが歪んだ状態となることを防止できる。
【発明を実施するための最良の形態】
【００１４】
以下、本発明について、図面を参照しつつ具体的に説明する。
ただし、本発明に於いて、用語の接頭語として「第１」「第２」などを付しているが、これは、部材などの優劣を意味するものではなく、用語の区別のために付している。
【００１５】
＜第１実施形態＞
図１〜図４に於いて、１は、本発明の一実施形態のコップ収納ケースを示す。なお、各図に於いて、コップＡを二点鎖線で表す。また、各図において、一点鎖線は、折り目を表す。
コップ収納ケース１は、後述するように、シート材を組み立てて形成されている。
該コップ収納ケース１は、コップＡを収納可能な上面開口型のケース本体２と、該ケース本体２に収納されたコップＡを、ケース本体２内から抜脱不能に保持する一対の保持面部３１，３２と、前記コップＡの内周面Ａ２に部分的に接し且つ挿入される物品とコップＡの間を緩衝する緩衝片部５と、を有する。
【００１６】
ケース本体２は、中空状の直方体状に形成されている。具体的には、ケース本体２は、対向する正背面壁２１，２２と該正背面壁２１，２２の間に設けられた対向する両側面壁２３，２４とを有する四角筒状体と、該四角筒状体の下面開口部を閉塞する底面壁２５と、を有する上面開口型の容体である。
前記正背面壁２１，２２と両側面壁２３，２４は、略直角状に連設されており、従って、ケース本体２の上面開口部６の開口縁は、対向する二縁６１，６２（一縁６１及び他縁６２）とこの対向二縁６１，６２にそれぞれ略直交した対向する二側縁６３，６４（一側縁６３及び他側縁６４）とを有する、四角形状（好ましくは正方形状）に形成されている。
【００１７】
一対の保持面部３１，３２は、それぞれ略四角形状に形成され、ケース本体２の上面開口部の対向二縁６１，６２からそれぞれ連設されている。この上面開口部６の一縁６１に連設された保持面部３１を「第１保持面部」と、上面開口部６の一縁６１に対向する他縁６２に連設された保持面部を「第２保持面部」という。
第１保持面部３１は、上面開口部６の一縁６１と略同幅に形成され、第１保持面部３１の端縁３１ａ（上面開口部６の一縁６１と対向する縁）は、これよりも少し短い幅に形成されている。
第２保持面部３２は、上面開口部６の他縁６２と略同幅に形成され、第２保持面部３２の端縁３２ａ（上面開口部６の他縁６２と対向する縁）は、これよりも少し短い幅に形成されている。
【００１８】
第１保持面部３１及び第２保持面部３２は、それぞれ上面開口部６の二縁６１，６２に沿って形成された折り目をヒンジ部として、正背面壁２１，２２に対して内側に折り曲げられている。折り曲げられた第１保持面部３１及び第２保持面部３２は、その内面が収納されたコップＡの開口端部Ａ１に対面し、該コップＡは、ケース本体２の底面壁２５と第１保持面部３１及び第２保持面部３２との間に挟まれて、収納保持される。
上記第１保持面部３１の長さ（上面開口部６の一縁６１から第１保持面部３１の端縁３１ａまでの長さ）は、該第１保持面部３１を折り曲げた際、上記のようにコップＡの開口端部Ａ１に対面する程度に形成されていれば、特に限定されない。第２保持面部３２の長さ（上面開口部６の他縁６２から第２保持面部３２の端縁３２ａまでの長さ）についても同様である。好ましくは、第１保持面部３１及び第２保持面部３２の長さは、ケース本体２の上面開口部６の一側縁６３の長さの約１／５〜１／３倍程度に形成される。
【００１９】
さらに、図３及び図４に示すように、上記第１及び第２保持面部３１，３２が折り曲げられた状態において、第１保持面部３１と第２保持面部３２の対向する端縁３１ａ，３２ａには、緩衝片部５が連設されている。
具体的には、緩衝片部５の一方の端縁は、第１保持面部３１の端縁３１ａに連設され、緩衝片部５の他方の端縁（緩衝片部５の一端縁に対向する端縁）は、第２保持面部３２の端縁３２ａに連設されている。
なお、本実施形態では、図１に示すように、緩衝片部５と第１保持面部３１は一体的に連設されており、該緩衝片部５は、第１保持面部３１の端縁３１ａに沿って形成された折り目をヒンジ部として、折り曲げ可能である。一方、緩衝片部５と第２保持面部３２は、組み立て前は別個独立しているが、緩衝片部５から突設された差込み片部５１を第２保持面部３２の切り目３２１に係入することにより、図３に示すように、緩衝片部５と第２保持面部３２の端縁３２ａが連設される。なお、３２２は、前記切り目３２１を形成するために、第２保持面部３２から延設された延出片である。
ここで、上記切り目３２１は、シート材を貫通する切込み線である。また、上記折り目は、シート材を折り曲げやすくするための易屈曲線である。本発明において、折り目としては、例えば、シート材を厚み方向に切り込んだハーフカット線（Ｖノッチともいう）、貫通孔が断続的に形成されたミシン目などを用いることができる。好ましくは、折り目は、ハーフカット線である。
【００２０】
上記緩衝片部５は、第１及び第２保持面部３１，３２の端縁３１ａ，３２ａと略同幅の長方形状に形成されており、好ましくは、緩衝片部５の幅は、収納されるコップＡの内径（内周面Ａ２の直径）よりも僅かに小さく形成される。かかる幅の緩衝片部５は、折り曲げた際、緩衝片部５の両側縁５ａ，５ａが、コップＡの内周面Ａ２に接するからである。
一方、緩衝片部５の長さは、折り曲げられた第１及び第２保持面部３１，３２の対向する端縁３１ａ，３２ａの間隙長さよりも、十分に長く形成されている。第１及び第２保持面部３１，３２の対向する端縁３１ａ，３２ａの間において、内側へ山形状に折れ曲がった緩衝片部５を形成するためである。
【００２１】
かかる緩衝片部５は、ケース本体２の内部に向かって突出するように、山形状に折り曲げられている。なお、本実施形態では、緩衝片部５には、その長さ方向（第１保持面部３１の端縁３１ａが延びる方向と直交する方向）の中途部に、幅方向に延びる折り目５２が形成され、該折り目５２を介して折り曲げられている。従って、緩衝片部５の折り曲げ頂部５３は、角状（好ましくは鋭角状）となっている。
もっとも、緩衝片部５は、このように折り曲げ頂部５３が角状となるものに限られず、例えば、緩衝片部５の折り曲げ頂部５３が弧状に形成されていてもよい。緩衝片部５に前記折り目５２を形成しなければ、緩衝片部５の折り曲げ頂部５３は、弧状に形成され得る。また、緩衝片部５に、幅方向に延びる折り目を複数（例えば２本）形成し、該複数の折り目を介して緩衝片部５が複数箇所で折り曲げられていてもよい。例えば、幅方向に延びる折り目が２本形成されている緩衝片部５は、第１保持面部３１及び第２保持面部３２から下方斜めに延び、且つ２本の折り目で折り曲げられ、該２本の折り目の間に平坦面を有する山形状（側面視逆台形状）に形成され得る。
【００２２】
ケース本体２内にコップＡを収納した後、上記緩衝片部５を内側へ折り曲げることにより、緩衝片部５がコップＡの凹部内に進入する。そして、該緩衝片部５は、その両側縁５ａ，５ａの少なくとも一部分（例えば、緩衝片部５の折り曲げ頂部５３の両側に於ける側縁５ａ’，５ａ’）が、コップＡの内周面Ａ２に接する。
【００２３】
さらに、この緩衝片部５の面内には、所定の物品の一部分（例えばボトル型容器の首部等）に挿入脱可能な挿入口７が形成されている。この挿入口７は、その中心が緩衝片部５の折り曲げ頂部５３の稜線上に位置して形成されている。
かかる挿入口７の縁は、物品の一部分（挿入部分）の周囲に線接触しうるように形成されている。具体的には、物品の一部分がボトル型容器の首部の場合、該首部の横断面形状は、通常、円状である。かかる容器の首部に緩衝片部５の挿入口７を挿入する場合において、該首部の周囲に線接触しうるような挿入口７は、上面視円状に形成される。
なお、上述のように、緩衝片部５は、山形状に折り曲げられるため、緩衝片部５の面内には、その長さ方向に拡がった楕円形状の開口部（この開口部は、緩衝片部５を折り曲げた際に挿入口７となる）を形成すればよい。かかる楕円形状の開口部を有する緩衝片部５を上記のようにして折り曲げれば、該開口部は、上面側から視ると長さ方向に縮まり、その結果、上面視円状の上記挿入口７を形成できる。
【００２４】
さらに、ケース本体２の上面開口部６の一側縁６３には、押さえ面部８が連設されている。
該押さえ面部８は、ケース本体２の上面開口部６と略同大に形成されており、さらに、押さえ面部８の端縁８ａには、係止用のフラップ片８１が連設されている。該押さえ面部８は、ケース本体２の一側縁６３に沿って形成された折り目をヒンジ部として、折り曲げ可能である。
また、押さえ面部８の面内には、所定の物品の一部分（例えば、上記容器の首部）に挿入脱可能な挿入口８２が形成されている。以下、押さえ面部８の挿入口８２を、緩衝片部５の挿入口７と区別するため、「挿入孔」という。
この押さえ面部８の挿入孔８２は、略円形状に形成されている。該挿入孔８２は、押さえ面部８を折り曲げた状態において、挿入孔８２の中心が、上記緩衝片部５の挿入口７の中心を通る上下方向線上に略位置するように形成されている。
上記押さえ面部８は、内側に折り曲げられ、第１及び第２保持面部３１，３２の外面上に被さるように重ね合わされている。
【００２５】
さらに、ケース本体２の上面開口部６の他側縁６４には、係止面部９が連設されている。
該係止面部９は、ケース本体２の上面開口部６と略同大に形成されているが、係止面部９の端縁９ａは、弧状に形成されている。この係止面部９は、ケース本体２の他側縁６４に沿って形成された折り目をヒンジ部として、折り曲げ可能である。
また、係止面部９の面内には、所定の物品の一部分（例えば、上記容器の首部）が挿入脱可能な挿入口９２が形成されている。以下、係止面部９の挿入口９２を、緩衝片部５の挿入口７と区別するため、「係止孔」という。
この係止面部９の係止孔９２は、周方向に９０°ずつ位置ずれした４つの突部９１を有する略十字状に形成されている。該係止孔９２は、係止面部９を折り曲げた状態において、係止孔９２の中心が、上記緩衝片部５の挿入口７の中心を通る上下方向線上に略位置するように形成されている。
上記係止面部９は、内側に折り曲げられ、押さえ面部８の外面上に被さるように重ね合わされている。
【００２６】
本発明のコップ収納ケース１に収納されるコップＡは、飲み口を有する有底筒状のものであれば特に限定されない。コップＡの形状は、例えば、縦断面凹状のものであり、代表的には、図示したような有底円筒状が例示されるが、有底四角筒状、有底楕円筒状、有底六角筒状など、その他の形状でもよい。また、コップＡは、ケース本体２内に収納できる程度の範囲で、外周面に取っ手が形成されているものでもよい。
また、コップＡの材質についても特に限定されず、陶器製、ガラス製、合成樹脂製、金属製、木製などの公知の材質でもよい。もっとも、本発明のコップ収納ケース１は、緩衝性に優れていることから、陶器製やガラス製のコップＡを収納した際に、特に顕著な効果を奏する。
なお、コップＡとは、液体の飲用に使用できる器類を意味し、一般に、グラス、湯飲み、カップなどと呼ばれているものを含む意味である。
【００２７】
コップ収納ケース１は、可撓性のあるシート材を組み立てることによって形成されている。
該シート材としては、ポリプロピレン、ポリエチレンなどのポリオレフィン系、ポリエチレンテレフタレートなどのポリエステル系、ポリスチレン系、ポリアミド系などの各種合成樹脂製シート、紙、合成紙などの各種シートを用いることができる。また、シート材は、同種又は異種の積層シートでもよい。中でも、収納したコップなどを外部から視認できることから、透明（無色透明又は有色透明）なシート材を用いることが好ましい。
シート材の厚みは、特に限定されないが、例えば、合成樹脂製シートの場合には、０．２ｍｍ〜１．０ｍｍ程度が例示される。
中でも、適度な剛性と柔軟性を有することから、厚み０．２ｍｍ〜０．６ｍｍ程度の透明なポリプロピレンのシートを用いることが好ましい。
【００２８】
次に、図５は、コップ収納ケース１を構成する展開シート１０を示す。図５に付した符号のうち、上記コップ収納ケース１の各構成要素に対応する部分については、コップ収納ケース１と同じ符号を付している。
【００２９】
この展開シート１０は、１枚のシート材を打ち抜いて形成されている。
この展開シート１０は、ケース本体２の正面壁２１、背面壁２２、及び両側面壁２３，２４に対応する面部が連なって形成されている。一方の側面壁２４の一側には、糊代片２４１が連設されている。各壁面の下縁には、ケース本体２の底面壁２５を形成する底面形成片２５１がそれぞれ連設されている。
上記展開シート１０には、コップ収納ケース１の組み立てに際して、折り曲げられる部分に、それぞれ折り目が形成されている。図５に於いて、全ての折り目を一点鎖線で表している。
上記展開シート１０の各部の構成は、上記コップ収納ケース１の各部に対応しているので、その具体的な説明は省略する。
【００３０】
次に、上記展開シート１０からコップ収納ケース１を組み立てつつ、その内部にコップを収納する手順を説明することにより、本発明のコップ収納ケース１を更に詳述する。
展開シート１０を用い、各折り目において折り曲げつつ、糊代片２４１を背面壁２２の一側内面に接着すると共に、各底面形成片２５１を組み合わせて底面壁２５を形成する。これにより、図１に示すような、上面開口型のケース本体２が形成される。
【００３１】
上記展開シート１０を用いた場合には、ケース本体２は、正背面壁２１，２２、両側面壁２３，２４及び底面壁２５を有する上面開口型の有底四角筒状に形成される。もっとも、ケース本体２は、四角筒状に限られず、例えば、円筒状、六角筒状などの他の形状に変更することも可能である。
ケース本体２の大きさは、収納されるコップＡの大きさ及び形状に合わせて形成される。例えば、該ケース本体２は、正背面壁２１，２２及び両側面壁２３，２４の内面に、収納したコップＡの外周面の一部がそれぞれ接する大きさに形成されることが好ましい。収納されたコップＡの横ずれを防止するためである。
なお、ケース本体２の上面開口部６は、コップＡを出し入れするための開口部分である。
【００３２】
次に、上記ケース本体２の上面開口部６から、コップＡを入れる。コップＡは、その開口部を、ケース本体２の上面開口部６側に向けて入れられる。つまり、ケース本体２の底面壁２５にコップＡの底部が接するように入れられる。
コップＡを入れた後、図６に示すように、第１保持面部３１と第２保持面部３２を、内側へ折り曲げる。折り曲げられた第１及び第２保持面部３１，３２は、コップＡの開口端部Ａ１に対面する。
ケース本体２の高さ（正面壁２１の上下方向長さに相当）が、コップＡの高さと略同じに形成されている場合には、第１及び第２保持面部３１，３２の内面が、コップＡの開口端部Ａ１に面接触しうる。このようにケース本体２がコップＡと同じ高さに形成されている場合には、ケース本体２と第１及び第２保持面部３１，３２によって、コップＡを挟持でき、コップＡがケース本体２内で上下方向に位置ずれすることを効果的に防止できる。
【００３３】
次に、第１保持面部３１の端縁３１ａに一体的に連設された緩衝片部５を、その中央部において山形状に折り曲げつつ、該緩衝片部５を、第１保持面部３１の端縁３１ａと第２保持面部３２の端縁３２ａの間に存する隙間から、コップＡの凹部内へ入れ込む。そして、緩衝片部５の差込み片部５１を切り目３２１に差し入れ、第２保持面部３２の端縁３２ａに緩衝片部５を連設させる。
かかる山形状に折り曲げられた緩衝片部５は、その面内に上面視円状の挿入口７を有した状態で、緩衝片部５の側縁５ａが、コップＡの内周面Ａ２に部分接触しうる。
【００３４】
次に、押さえ面部８を内側へ折り曲げ、押さえ面部８のフラップ片８１を、第１及び第２保持面部３１，３２の側縁とケース本体２の側面壁２４の隙間に差し入れる。折り曲げた押さえ面部８は、図７に示すように、第１及び第２保持面部３１，３２の外面を押さえるように重なる。第１及び第２保持面部３１，３２の間には、緩衝片部５が連設され、折り曲げられた緩衝片部５の復元力やコップＡの自重などによって、第１及び第２保持面部３１，３２は、浮き上がり易いが、押さえ面部８によって、この浮き上がりを効果的に防止できる。
そして、押さえ面部８の挿入孔８２と緩衝片部５の挿入口７は、上下方向において略同じ位置に揃うこととなる。
【００３５】
最後に、図７に示す係止面部９を内側へ折り曲げることにより、図２に示すような、コップＡが収納保持されたコップ収納ケース１を得ることができる。なお、後述するように、係止面部９を内側（押さえ面部８の外面上）へ折り曲げないでコップ収納ケース１を使用することもできる。
【００３６】
コップＡが収納されたコップ収納ケース１は、例えば、挿入口を所定の物品の一部分に挿入して使用される。
物品は、特に限定されないが、本発明のケース１はコップを収納することから、飲料容器が好ましい。飲料としては、アルコール類、清涼飲料などが挙げられる。また、物品の形状としては、コップ収納ケース１の挿入口に挿入できる部分を有するものであれば特に限定されないが、好ましくは、首部を有する容器（ボトル型容器）である。
【００３７】
図８は、首部Ｂ１を有するボトル型容器Ｂに、本発明のコップ収納ケース１を付属させる構成例を示している。
ボトル型容器Ｂは、首部Ｂ１を上に向けて載置面上に載置される。コップ収納ケース１の挿入口を、該ボトル型容器Ｂの首部Ｂ１に挿入することにより、コップ収納ケース１をボトル型容器Ｂに取り付けることができる。
具体的には、コップ収納ケース１の係止面部９の係止孔９２を、容器Ｂの首部Ｂ１に挿入することにより、図９に示すように、該首部Ｂ１は、前記係止孔９２から押さえ面部８の挿入孔８２及び緩衝片部５の挿入口７に嵌り込む。
【００３８】
挿入した容器Ｂの首部Ｂ１とコップＡの内周面Ａ２の間には、図９に示すように、緩衝片部５が介在している。かかる緩衝片部５は、その側縁５ａが、コップＡの内周面Ａ２に接するように構成されているので、容器Ｂの首部Ｂ１とコップＡの内周面Ａ２の隙間を確実に維持することができる。
従って、搬送時などにおいて、容器Ｂの首部Ｂ１とコップＡの内周面Ａ２が接触する虞がなく、コップＡが破損することを防止できる。
【００３９】
また、緩衝片部５は、内側へ折り曲げられ、その折り曲げ部分を含んで挿入口７が形成されている。従って、緩衝片部５の挿入口７の縁は、容器Ｂの首部Ｂ１の上下方向に弧を描くように接触するので、該緩衝片部５を介して、容器Ｂの首部Ｂ１に挿入されたコップ収納ケース１は、首部Ｂ１に対して揺動し難い。
特に、上記コップ収納ケース１は、緩衝片部５と上下に離れた位置に押さえ面部８が設けられている。この押さえ面部８の挿入孔８２は、容器Ｂの首部Ｂ１の下方部（容器Ｂの首部と肩部の境界部分）の周囲に接する。従って、コップ収納ケース１は、押さえ面部８の挿入孔８２が容器Ｂの首部Ｂ１の下方部において接し、且つ緩衝片部５の挿入口７が容器Ｂの首部Ｂ１の中途部において接する。このため、コップ収納ケース１は、容器Ｂの首部Ｂ１の上下に離れた位置（下方部及び下方部よりも上方の中途部）で首部Ｂ１に保持されるので、コップ収納ケース１が揺動することをより確実に防止できる。
【００４０】
さらに、上記コップ収納ケース１は、押さえ面部８の外面に係止面部９が設けられている。この係止面部９の係止孔９２の縁部は、弧状に形成されておらず、部分的に突出した複数の突部９１を有する。このため、係止面部９の係止孔９２においては、図８に示すように、容器Ｂの首部Ｂ１の外周面に接する突部９１が適宜弾性変形して、首部Ｂ１と強く密着する。従って、搬送時などに、コップ収納ケース１が、容器Ｂの首部Ｂ１から不用意に抜け難くなる。
【００４１】
また、本発明のコップ収納ケース１は、上記のように係止面部９を内側に折り、係止面部９の係止孔９２から押さえ面部８の挿入孔８２及び緩衝片部５の挿入口７に、容器Ｂの首部Ｂ１を嵌め込んで取付ける使用例のほか、図１０に示すように、コップ収納ケース１を容器Ｂに吊り下げて使用することもできる。すなわち、コップＡが収納されたコップ収納ケース１の係止面部９を押さえ面部８側へ折り曲げず、該係止面部９の係止孔９２のみを容器Ｂの首部Ｂ１に挿入して、コップ収納ケース１を容器Ｂに取り付けることもできる。
【００４２】
＜第２実施形態＞
第２実施形態に係るコップ収納ケースは、緩衝片部の挿入口の縁の一部分に、収納されるコップの底面部に接する延出片部が連設されている。
以下、第２実施形態について説明するが、上記第１実施形態と同様の構成及び効果については、その説明を省略し、用語及び符号を援用する場合がある。
【００４３】
図１１〜図１３において、本実施形態のコップ収納ケース１は、上記第１実施形態のコップ収納ケース１と同様に、ケース本体２と、第１及び第２保持面部３１，３２と、押さえ面部８と、係止面部９と、を有する。さらに、本実施形態のコップ収納ケース１は、緩衝片部５を有するが、該緩衝片部５は、下記の点で、上記第１実施形態と異なる。
なお、図１４に、本実施形態のコップ収納ケース１を構成する展開シート１０を示す。各図において、上記第１実施形態と同様の構成について、適宜、その符号を付している。
【００４４】
本実施形態の緩衝片部５は、上記第１実施形態の緩衝片部５よりも長く形成されている。この緩衝片部５の面内には、一部分を除いて、平面視略長円状に形成された有端状の切り目５４が形成され、この切り目５４で囲われた範囲は、切り目５４の両端部５４ａ，５４ａの間において、緩衝片部５に連設されている。該切り目５４で囲われた範囲を押し出すことにより、緩衝片部５から延出片部５５が延出されている。なお、切り目５４で囲われた範囲を押し出すことにより、挿入口７が形成される。従って、上記延出片部５５は、挿入口７の縁の一部分に連設されている。なお、本実施形態の挿入口７も、緩衝片部５を折り曲げた状態で、上面視円状である。
該延出片部５５の端部側には、半円弧状の切り目５６が形成されていると共に、該切り目５６の両端部から延出片部５５の側縁まで、折り目５７が形成されている。
【００４５】
本実施形態のコップ収納ケース１は、図１５に示すように、コップＡを収納した後、第１及び第２保持面部３１，３２を折り曲げ、次に、切り目５４に沿って延出片部５５を押し出しつつ、緩衝片部５を内側へ折り曲げることにより、これらをコップＡの凹部内に進入させる。すると、緩衝片部５の両側縁５ａ，５ａの少なくとも一部分（例えば、緩衝片部５の折り曲げ頂部５３の両側に於ける側縁５ａ’，５ａ’）が、コップＡの内周面Ａ２に接すると共に、延出片部５５の端部が、折り目５７にて折れ曲がり、延出片部５５の端部が、コップＡの底面部Ａ３に接する。
事後、上記第１実施形態と同様に、押さえ面部８などを順次折り曲げることにより、図１２に示すような、コップ収納済みのコップ収納ケース１が得られる。
【００４６】
かかるコップ収納ケース１の挿入口を、容器Ｂの首部Ｂ１に挿入することにより、図１６に示すように、コップ収納ケース１を容器Ｂの首部Ｂ１に取り付けることができる。
本実施形態のコップ収納ケース１は、延出片部５５がコップＡの底面部Ａ３に接しているので、容器Ｂに対して、より揺動し難くなる。
従って、コップ収納ケース１を取り付けた容器Ｂを搬送などしても、該コップ収納ケース１が歪むことをより確実に防止できる。
【００４７】
＜他の実施形態＞
上記第１及び第２実施形態において、緩衝片部５の挿入口７の縁全体が容器Ｂの首部Ｂ１に接するように形成されているが、例えば、上記係止面部９の係止孔９２と同様にして、緩衝片部５の挿入口７の縁から突出する突部を複数形成してもよい。この場合、挿入口７の縁から突設された突部が、適宜弾性変形して容器Ｂの首部Ｂ１に密着するので、縁全体が容器Ｂの首部Ｂ１に接する挿入口７と同様に、コップ収納ケース１は、首部Ｂ１に対して揺動し難くなる。
【００４８】
また、押さえ面部８の挿入孔８２についても同様に、該挿入孔８２の縁から複数の突部が突設されているものでもよい。
【図面の簡単な説明】
【００４９】
【図１】本発明のコップ収納ケースの第１実施形態を示し、コップを収納する際にケースを開放した状態の分解斜視図。なお、各図に於いて、収納するコップを二点鎖線で表す。
【図２】コップを収納した状態の同コップ収納ケースの斜視図。
【図３】図２のI−I線に於ける断面図。
【図４】図２のII−II線に於ける断面図。
【図５】同コップ収納ケースを構成する展開シートの平面図。但し、図５に於いて、展開シートに形成された全ての折り目を一点鎖線で表す。
【図６】同コップ収納ケースにコップを収納していく手順を示す斜視図。ただし、図６に於いて、押さえ面部を二点鎖線で表している。
【図７】同手順を示す斜視図。
【図８】同コップ収納ケースを容器に取り付けた状態を下方側から視た斜視図。
【図９】図８のIII−III線に於ける一部省略断面図。
【図１０】コップ収納ケースの他の取付け例を示す斜視図。
【図１１】本発明のコップ収納ケースの第２実施形態を示し、コップを収納する際にケースを開放した状態の分解斜視図。
【図１２】コップを収納した状態の同コップ収納ケースの斜視図。
【図１３】図１２のIV−IV線に於ける断面図。
【図１４】同コップ収納ケースを構成する展開シートの平面図。但し、図１４に於いて、展開シートに形成された全ての折り目を一点鎖線で表す。
【図１５】同コップ収納ケースにコップを収納していく手順を示す斜視図。ただし、図１５に於いて、緩衝面部及び延出片部を判りやすく図示するため、緩衝面部及び延出片部を実線で表し、その他を二点鎖線で表している。
【図１６】同コップ収納ケースを容器に取り付けた状態を示す一部省略断面図。
【図１７】従来のコップ収納ケースの分解斜視図。
【図１８】コップを収納した状態の従来のコップ収納ケースの斜視図。
【図１９】従来のコップ収納ケースをボトル型容器に挿入する前の斜視図。
【図２０】従来のコップ収納ケースをボトル型容器に取り付けた状態を下方から見た斜視図。
【符号の説明】
【００５０】
１…コップ収納ケース、２…ケース本体、３１…第１保持面部、３２…第２保持面部、５…緩衝片部、５５…延出片部、６…ケース本体の上面開口部、７…緩衝片部の挿入口、８…押さえ面部、８２…押さえ面部の挿入孔、９…係止面部、９２…係止面部の係止孔、１０…展開シート、Ａ…コップ、Ａ１…コップの開口端部、Ａ２…コップの内周面、Ａ３…コップの底面部、Ｂ…容器（物品）、Ｂ１…容器の首部（物品の一部分）
【図１】
2008273612.tif 000003
【図２】
2008273612.tif 000004
【図３】
2008273612.tif 000005
【図４】
2008273612.tif 000006
【図５】
2008273612.tif 000007
【図６】
2008273612.tif 000008
【図７】
2008273612.tif 000009
【図８】
2008273612.tif 000010
【図９】
2008273612.tif 000011
【図１０】
2008273612.tif 000012
【図１１】
2008273612.tif 000013
【図１２】
2008273612.tif 000014
【図１３】
2008273612.tif 000015
【図１４】
2008273612.tif 000016
【図１５】
2008273612.tif 000017
【図１６】
2008273612.tif 000018
【図１７】
2008273612.tif 000019
【図１８】
2008273612.tif 000020
【図１９】
2008273612.tif 000021
【図２０】
2008273612.tif 000022